(57)【要約】本発明は、マットに亀裂や圧壊が発生しにくく、マットにより排ガス処理体がしっかりと保持され、排ガスの漏れを防止することができる排ガス浄化装置を提供することを目的とする。本発明は、側面にコーナー部を有する柱状の排ガス処理体と、当該排ガス処理体を収容し、その内壁面にコーナー部を有する管状体からなるケーシングと、前記排ガス処理体とケーシングの間に挿入された無機繊維からなるマットとからなり、前記排ガス処理体の側面およびケーシングの内壁面に存在するコーナー部の数は同数であって、それぞれ３〜６か所であり、前記排ガス処理体は、その側面のコーナー部が前記ケーシングの内壁面に存在するコーナー部と相対するようにケーシング内に収容されてなるとともに、前記ケーシング内壁面のコーナー部の長手方向に対して垂直な断面における曲率半径よりも、排ガス処理体側面のコーナー部の長手方向に垂直な断面における曲率半径の方が大きいことを特徴とする排ガス浄化装置である。
2015016097.tif 000002
【特許請求の範囲】
【請求項１】
側面にコーナー部を有する柱状の排ガス処理体と、
当該排ガス処理体を収容し、その内壁面にコーナー部を有する管状体からなるケーシングと、
前記排ガス処理体とケーシングの間に挿入された無機繊維からなるマットとからなり、
前記排ガス処理体の側面およびケーシングの内壁面に存在するコーナー部の数は同数であって、それぞれ３〜６か所であり、前記排ガス処理体は、その側面のコーナー部が前記ケーシングの内壁面に存在するコーナー部と相対するようにケーシング内に収容されてなるとともに、
前記ケーシング内壁面のコーナー部の長手方向に対して垂直な断面における曲率半径よりも、排ガス処理体側面のコーナー部の長手方向に垂直な断面における曲率半径の方が大きいことを特徴とする排ガス浄化装置。
【請求項２】
前記排ガス処理体およびケーシングは、それぞれ４個のコーナー部を有している請求項１に記載の排ガス浄化装置。
【請求項３】
前記排ガス処理体側面のコーナー部の長手方向に垂直な断面における曲率半径は、長手方向に対して垂直ないかなる断面においても同一であり、かつケーシング内壁面のコーナー部の長手方向に対して垂直な断面における曲率半径は、長手方向に対して垂直ないかなる断面においても同一である請求項１または２に記載の排ガス浄化装置。
【請求項４】
前記ケーシング内壁面のコーナー部の長手方向に対して垂直な断面における曲率半径よりも排ガス処理体側面のコーナー部の長手方向に垂直な断面における曲率半径の方が１．０５〜４倍大きい請求項１〜３のいずれかに記載の排ガス浄化装置。
【請求項５】
前記無機繊維は、アルミナ繊維、アルミナ−シリカ繊維、シリカ繊維、及び、生体溶解性繊維からなる群から選択される少なくとも一種の無機繊維である請求項１〜４のいずれかに記載の排ガス浄化装置。
【請求項６】
前記マットには、さらに、ニードルパンチング処理が施されている請求項１〜５のいずれかに記載の排ガス浄化装置。
【発明の詳細な説明】
【技術分野】
【０００１】
本発明は、排ガス浄化装置に関する。
【背景技術】
【０００２】
ディーゼルエンジン等の内燃機関から排出される排ガス中には、スス等のパティキュレートマター（以下、ＰＭともいう）が含まれており、近年、このＰＭが環境及び人体に害を及ぼすことが問題となっている。また、排ガス中には、ＣＯ、ＨＣ及びＮＯｘ等の有害なガス成分も含まれていることから、この有害なガス成分が環境及び人体に及ぼす影響についても懸念されている。【０００３】
そこで、排ガス中のＰＭを捕集したり、有害なガス成分を浄化したりする排ガス浄化装置として、炭化ケイ素又はコージェライト等の多孔質セラミックからなる排ガス処理体と、排ガス処理体を収容するケーシングと、排ガス処理体とケーシングとの間に配設される無機繊維からなるマットとから構成される排ガス浄化装置が種々提案されている。【０００４】
この排ガス浄化装置に用いられるマットは、自動車の走行等により生じる振動や衝撃により、排ガス処理体がその外周を覆うケーシングと接触して破損することを防止すること、排ガス処理体をしっかりと保持して排ガス浄化装置の内部から排ガス処理体が抜け出るのを防止すること、及び、排ガス処理体とケーシングとの間から排気ガスが漏れることを防止すること等を主な目的として配設されている。【０００５】
マットが上記した機能を発揮することができるように、従来のケーシングは、排ガス処理体の外周面から一定の間隔となるような形状としていた。そして、上記ケーシングと上記排ガス処理体との間隔より若干厚めのマットを排ガス処理体に巻き付け、このマットが巻き付けられた排ガス処理体を上記した形状のケーシングの内部に圧入し、排ガス浄化装置としていた（特許文献１）。
【先行技術文献】
【特許文献】
【０００６】
【特許文献１】特開２０１０−２２３０８２号公報
【発明の概要】
【発明が解決しようとする課題】
【０００７】
しかしながら、従来の排ガス処理体は、排ガス処理体を構成するセルの垂直方向の断面が円形のもののみでなく、楕円形のものや、長方形の角部（コーナー部）をＲ面取りした形状に近いものがあり、特に長方形の角部（コーナー部）をＲ面取りした形状に近いものでは、コーナー部の曲率半径が小さくなってしまう。
このため、マットを圧入する際、上記コーナー部に配設されたマットに対する負荷が大きくなり、マットに亀裂や圧壊が発生しやすいという問題がある。【０００８】
また、マットが配設された排ガス浄化装置を使用した際、排ガス処理体のコーナー部の曲率半径が小さいことに起因して、振動等によりコーナー部にマットが集まり易くなり、コーナー部のマットの嵩密度が高くなり、マットに亀裂や圧壊が発生し易いという問題もある。
このような問題が発生する結果、マットによる排ガス処理体の保持能力が低下し、また、排ガスの漏れを防止するガスシーリング性能も低下してしまう。【０００９】
本発明は、上記問題を解決するためになされたものであり、マットに亀裂や圧壊が発生しにくく、マットにより排ガス処理体がしっかりと保持され、排ガスの漏れを防止することができる排ガス浄化装置を提供することを目的とする。
【課題を解決するための手段】
【００１０】
上記目的を達成するために、本発明の排ガス浄化装置は、側面にコーナー部を有する柱状の排ガス処理体と、当該排ガス処理体を収容し、その内壁面にコーナー部を有する管状体からなるケーシングと、上記排ガス処理体とケーシングの間に挿入された無機繊維からなるマットとからなり、
上記排ガス処理体の側面およびケーシングの内壁面に存在するコーナー部の数は同数であって、それぞれ３〜６か所であり、上記排ガス処理体は、その側面のコーナー部が上記ケーシングの内壁面に存在するコーナー部と相対するようにケーシング内に収容されてなるとともに、上記ケーシング内壁面のコーナー部の長手方向に対して垂直な断面における曲率半径よりも、排ガス処理体側面のコーナー部の長手方向に垂直な断面における曲率半径の方が大きいことを特徴とする。【００１１】
本発明の排ガス浄化装置では、上記ケーシング内壁面のコーナー部の長手方向に対して垂直な断面における曲率半径（以下、単にケーシング内壁面のコーナー部の曲率半径ともいう）よりも、排ガス処理体側面のコーナー部の長手方向に垂直な断面における曲率半径（以下、単に排ガス処理体側面のコーナー部の曲率半径ともいう）の方が大きく、排ガス処理体側面のコーナー部がなだらかな曲面になっているので、排ガス処理体の側面にマットが配設された排ガス浄化装置を使用した際、自動車の走行等により排ガス浄化装置に振動等が発生しても、排ガス処理体のコーナー部にマットが集まりにくい。
また、ケーシング内壁面のコーナー部の曲率半径と排ガス処理体のコーナー部の曲率半径との違いに起因して、上記排ガス処理体のコーナー部では、上記ケーシングの内壁面との間隔が上記コーナー部以外の部分に比べて広くなっており、上記コーナー部のマットの嵩密度が高くなりにくい。このため、マットに亀裂や圧壊が発生しにくい。
また、マットが巻き付けられた排ガス処理体をケーシングに圧入する際にも、コーナー部にかかる負荷が大きくなりにくく、マットに亀裂や圧壊が発生しにくい。【００１２】
このため、本発明の排ガス浄化装置では、自動車の走行等により生じる振動や衝撃により、排ガス処理体がその外周を覆うケーシングと接触して破損することを防止することができることは勿論、マットによる排ガス処理体の保持能力が高く、排ガス処理体の内部から排ガス処理体が抜け出るのを防止することができる。また、排ガスの漏れをしっかりと防止することができる。【００１３】
本発明の排ガス浄化装置を構成する排ガス処理体およびケーシングは、それぞれ４個のコーナー部を有していることが望ましい。【００１４】
排ガス浄化装置を構成する排ガス処理体およびケーシングが上記のように、４個のコーナー部を有している場合、排ガス処理体のコーナー部の曲率半径が小さくなり易く、従来技術の項で説明したように、コーナー部に配設したマットに亀裂や圧壊等が発生し易い。しかし、本発明の排ガス浄化装置では、上記のように、ケーシング内壁面のコーナー部の長手方向に対して垂直な断面における曲率半径よりも、排ガス処理体側面のコーナー部の長手方向に垂直な断面における曲率半径の方が大きいので、マットが配設された排ガス浄化装置を使用した際、排ガス処理体のコーナー部にマットが集まりにくく、排ガス処理体のコーナー部とケーシング内壁面のコーナー部との間の容積も大きいため、マットの嵩密度が高くなりにくい。このため、マットに亀裂や圧壊が発生しにくい。【００１５】
本発明の排ガス浄化装置では、上記排ガス処理体側面のコーナー部の長手方向に垂直な断面における曲率半径は、長手方向に対して垂直ないかなる断面においても同一であり、かつケーシング内壁面のコーナー部の長手方向に対して垂直な断面における曲率半径は、長手方向に対して垂直ないかなる断面においても同一である。
従って、本発明の排ガス浄化装置では、どの部分においても、同じ効果を得ることができ、排ガス処理体のコーナー部に配設されたマットには、全ての部分において、亀裂や圧壊が発生しにくい。【００１６】
本発明の排ガス浄化装置では、上記ケーシング内壁面のコーナー部の長手方向に対して垂直な断面における曲率半径よりも排ガス処理体側面のコーナー部の長手方向に垂直な断面における曲率半径の方が１．０５〜４倍大きいことが望ましい。
上記した曲率半径の比が１．０５倍より小さいと、排ガス処理体のコーナー部にマットが集まり易くなることがあり、一方、上記した曲率半径の比が４倍を超えると、ケーシング内壁面のコーナー部から排ガス処理体側面のコーナー部までの容積が大きくなりすぎ、マットが存在しない空隙部が形成され易くなり、マットの保持力が弱くなる。【００１７】
本発明の排ガス浄化装置が上記のように構成されものでは、排ガス処理体のコーナー部にマットがより集まりにくく、マットの嵩密度がより高くなりにくい。このため、マットに亀裂や圧壊がより発生しにくい。【００１８】
本発明の排ガス浄化装置では、上記マットを構成する無機繊維は、アルミナ繊維、アルミナ−シリカ繊維、シリカ繊維、及び、生体溶解性繊維からなる群から選択される少なくとも一種の無機繊維であることが望ましい。【００１９】
本発明の排ガス浄化装置で上記した種類の無機繊維を使用することにより、上記無機繊維が使用されたマットは、保持力に優れ、無機繊維の機械的特性にも優れているので、マットに亀裂や圧壊が発生しにくく、排ガス処理体がしっかりと保持される。【００２０】
本発明の排ガス浄化装置では、上記マットには、さらに、ニードルパンチング処理が施されていることが望ましい。【００２１】
本発明の排ガス浄化装置では、マットにニードルパンチング処理を施すことにより、無機繊維同士の交絡が発生し、無機繊維が移動しにくくなるので、排ガス処理体側面のコーナー部にマットが集まりにくくなり、マットに亀裂や圧壊が発生しにくくなる。
【図面の簡単な説明】
【００２２】
【図１】図１（ａ）〜（ｃ）は、本発明の排ガス処理体の形状を模式的に示す斜視図である。
【図２】図２（ａ）〜（ｃ）は、それぞれ排ガス処理体とケーシングとの間にマットが挿入された排ガス浄化装置のケーシングの長手方向に垂直な断面を模式的に示す断面図である。
【図３】図３は、図２（ｂ）に示す排ガス処理体とケーシングとからなる排ガス浄化装置のケーシングの長手方向に平行な断面を模式的に示す断面図である。
【図４】図４（ａ）は、本発明の実施例に該当する排ガス浄化装置を構成するマットの嵩密度のシミュレーション結果を示す断面図であり、図４（ｂ）は、本発明の比較例に該当する排ガス浄化装置を構成するマットの嵩密度のシミュレーション結果を示す断面図である。
【図５】図５は、本発明の排ガス浄化装置で使用されるマットを模式的に示す斜視図である。
【図６】図６は、本発明の排ガス浄化装置を構成する巻付体をケーシングに収納する様子を示した斜視図である。
【図７】図７（ａ）、（ｂ）は、排ガス浄化フィルタの長手方向に対して垂直な断面の形状を特定するための基準となる寸法を模式的に示した断面図である。
【図８】図８（ａ）〜（ｅ）は、実施例１で用いたマットの状態を撮影した写真である。
【図９】図９（ａ）〜（ｅ）は、比較例１で用いたマットの状態を撮影した写真である。
【００２３】
（発明の詳細な説明）
以下、本発明の排ガス浄化装置について説明する。
本発明の排ガス浄化装置は、側面にコーナー部を有する柱状の排ガス処理体と、
当該排ガス処理体を収容し、その内壁面にコーナー部を有する管状体からなるケーシングと、上記排ガス処理体とケーシングの間に挿入された無機繊維からなるマットとからなり、
上記排ガス処理体の側面およびケーシングの内壁面に存在するコーナー部の数は同数であって、それぞれ３〜６か所であり、上記排ガス処理体は、その側面のコーナー部が上記ケーシングの内壁面に存在するコーナー部と相対するようにケーシング内に収容されてなるとともに、上記ケーシング内壁面のコーナー部の長手方向に対して垂直な断面における曲率半径よりも、排ガス処理体側面のコーナー部の長手方向に垂直な断面における曲率半径の方が大きいことを特徴とする。【００２４】
まず、本発明の排ガス浄化装置を構成する排ガス処理体について説明する。
本発明の排ガス処理体は、側面にコーナー部を有する柱状の排ガス処理体である。
上記排ガス処理体は、ディーゼルエンジン等の内燃機関から排出される排ガス中のＰＭを捕集する機能を有するもの、又は、上記排ガス中の有害なガス成分を無害なガス成分に転換する機能を有するものであるが、上述した二つの機能を有するものであってもよい。【００２５】
本発明では、上記排ガス中のＰＭを捕集する機能を有するものを排ガス浄化フィルタといい、上記排ガス中の有害なガス成分を無害なガス成分に転換する機能を有するものを触媒コンバータということとする。【００２６】
上記排ガス浄化フィルタは、特に限定されるものではなく、例えば、炭化ケイ素又はコージェライト等の多孔質セラミックからなる、所謂、ハニカムフィルタと呼ばれるもので、長手方向に多数のセルが併設され、排ガスの入口側か出口側のいずれかが目封止されたもの、板状のものを重ねてフィルタとしたもの、３次元網目構造を有する金属多孔質体からなるもの、セラミックファイバの積層体からなるもの等が挙げられる。板状のものを重ねてフィルタとしたもの、３次元網目構造を有する金属多孔質体からなるもの、セラミックファイバの積層体からなるもの等は、これらの部材が所定形状の耐熱性容器に収容されており、この場合、上記耐熱性容器が柱状で、側面にコーナー部を有する形状を呈する。
これらのなかでは、炭化ケイ素又はコージェライト等の多孔質セラミックからなり、長手方向に多数のセルが併設され、排ガスの入口側か出口側のいずれかが目封止されたハニカムフィルタが望ましい。【００２７】
上記ハニカムフィルタは、コージェライト等からなり、一つの多孔質セラミックから一体的に形成された一体型ハニカムフィルタであってもよく、炭化ケイ素等からなる柱状の多孔質セラミックを主にセラミックを含む接着材層を介して複数個結束してなる集合型ハニカムフィルタであってもよい。【００２８】
上記触媒コンバータは、特に限定されるものではなく、例えば、長手方向に多数のセルが併設された多孔質セラミックに触媒を担持したもの、ペレット状の多孔質セラミックに触媒を担持したもの、金属製の薄いシートを波状に加工したものを担体とし、この担体に触媒を担持したもの等が挙げられる。ペレット状の担体や金属製のシートを担体としたものでは、これらの担体が耐熱性の容器に収容されており、この場合、上記耐熱性容器が柱状で、側面にコーナー部を有する形状を呈する。
これらのなかでは、長手方向に多数のセルが併設された多孔質セラミックに触媒を担持した触媒コンバータが望ましい。【００２９】
排ガス処理体に担持されている触媒としては、例えば、白金、パラジウム、ロジウム等の貴金属、カリウム、ナトリウム等のアルカリ金属、バリウム等のアルカリ土類金属、又は、酸化セリウム等の金属酸化物等が挙げられる。これらの触媒は、単独で用いてもよいし、２種以上を併用してもよい。【００３０】
本発明の排ガス処理体は、柱状であり、側面に所定の曲率半径のコーナー部を有する。
曲率とは、曲線や曲面の曲がり具合を表す量であるが、その局所的な曲がり具合を円に近似することができ、近似した円の半径を曲率半径という。例えば、半径ｒの円周の曲率は １／ｒ であり、曲率半径は、ｒである。曲線の曲がり具合がきついほど曲率は大きくなり、曲率半径は小さくなる。曲率半径は、曲線が円を構成する円弧からなる場合には、その円弧の半径で表わすことができ、一方、円弧とは異なる曲線の場合には、曲線の曲がり具合を表す所定の関数により曲率半径を表すことができる。【００３１】
図１（ａ）〜（ｃ）は、本発明の排ガス処理体の形状を模式的に示す斜視図である。
図１（ａ）は、長手方向に対して垂直な断面における曲率半径がｒｄ１のコーナー部１０Ｄａを有する略三角柱形状の排ガス処理体１０Ｄを模式的に示している。
コーナー部１０Ｄａの曲率半径がｒｄ１とは、長手方向に対して垂直な断面におけるコーナー部１０Ｄａは、半径がｒｄ１の円の一部（円弧）から構成されていることを意味している。【００３２】
図１（ｂ）は、長手方向に対して垂直な断面における曲率半径がｒｄ２のコーナー部２０Ｄａを有する略四角柱形状の排ガス処理体２０Ｄを模式的に示している。
同様に、排ガス処理体２０Ｄでは、長手方向に対して垂直な断面におけるコーナー部２０Ｄａは、半径がｒｄ２の円の一部（円弧）から構成されている。【００３３】
図１（ｃ）は、長手方向に対して垂直な断面における曲率半径がｒｄ３のコーナー部３０Ｄａを有する略五角柱形状の排ガス処理体３０Ｄを模式的に示している。
さらに、排ガス処理体３０Ｄでは、長手方向に対して垂直な断面におけるコーナー部３０Ｄａは、半径がｒｄ３の円の一部（円弧）から構成されている。【００３４】
図１（ａ）〜（ｃ）に示す排ガス処理体１０Ｄ、２０Ｄ、３０Ｄにおいて、長手方向に対して垂直な断面におけるコーナー部１０Ｄａ、２０Ｄａ、３０Ｄａ同士を結合する線は、図１（ａ）〜（ｃ）に記載のように直線であってもよく、曲線であってもよい。
すなわち、排ガス処理体１０Ｄ、２０Ｄ、３０Ｄにおいて、コーナー部１０Ｄａ、２０Ｄａ、３０Ｄａを除く他の側面は、平面であっても曲面であってもよい。【００３５】
図１（ａ）〜（ｃ）に示す排ガス処理体１０Ｄ、２０Ｄ、３０Ｄは、コーナー部が３〜５か所存在するが、コーナー部が６か所存在していてもよい。また、コーナー部同士の間隔は、同じでなくてもよい。【００３６】
次に、本発明の排ガス浄化装置を構成するケーシングについて説明する。
本発明のケーシングは、排ガス処理体を収容し、その内壁面にコーナー部を有する管状体からなり、上記排ガス処理体とケーシングとの間に無機繊維からなるマットが挿入されている。無機繊維からなるマットを保持シール材ともいうこととする。【００３７】
ケーシングは、主にステンレス等の金属からなり、その内部に排ガス処理体を収容できるように、内部は、排ガス処理体の形状よりも若干大きな空間を有する管状体の形状となっている。排ガス処理体は、側面にコーナー部を有するため、ケーシング内壁面のコーナー部に対向する部分にコーナー部を有するが、上記ケーシングの内壁面のコーナー部の長手方向に対して垂直な断面における曲率半径ｒｃよりも、排ガス処理体側面のコーナー部の長手方向に垂直な断面における曲率半径ｒｄの方が大きい。【００３８】
図２（ａ）〜（ｃ）は、それぞれ、排ガス処理体とケーシングとの間にマットが挿入された排ガス浄化装置のケーシングの長手方向に垂直な断面を模式的に示す断面図であり、図３は、図２（ｂ）に示す排ガス処理体とケーシングとからなる排ガス浄化装置のケーシングの長手方向に平行な断面を模式的に示す断面図である。【００３９】
図２（ａ）〜（ｃ）に示す排ガス浄化装置では、排ガス処理体として、長手方向に並設された排ガスの流路となる多数のセルと、上記セルを区画形成する多孔質のセル隔壁とを備えたものを使用している。【００４０】
図２（ａ）に示す排ガス浄化装置１００では、略三角柱の排ガス処理体１０Ｄがマット１０Ｓを介してケーシング１０Ｃの内部に収容されており、ケーシング１０Ｃの内壁面のコーナー部１０Ｃａの長手方向に対して垂直な断面における曲率半径ｒｃ１よりも、排ガス処理体１０Ｄの側面のコーナー部１０Ｄａの長手方向に垂直な断面における曲率半径ｒｄ１の方が大きい。【００４１】
このため、排ガス処理体１０Ｄのコーナー部１０Ｄａとケーシング１０Ｃのコーナー部１０Ｃａとの間隔が、コーナー部１０Ｄａ以外の排ガス処理体１０Ｄの側面とコーナー部１０Ｃａ以外のケーシング１０Ｃの側面との間隔に比べて広く、排ガス処理体１０Ｄのコーナー部１０Ｄａの曲率半径ｒｄ１がより大きいので、曲面がなだらかになっており、排ガス処理体１０Ｄのコーナー部１０Ｄａに配設されたマット１０Ｓに亀裂や圧壊が発生しにくい。【００４２】
図２（ｂ）に示す排ガス浄化装置２００では、略四角柱の排ガス処理体２０Ｄがマット２０Ｓを介してケーシング２０Ｃの内部に収容されており、ケーシング２０Ｃの内壁面のコーナー部２０Ｃａの長手方向に対して垂直な断面における曲率半径ｒｃ２よりも、排ガス処理体２０Ｄの側面のコーナー部２０Ｄａの長手方向に垂直な断面における曲率半径ｒｄ２の方が大きい。
従って、この場合にも、コーナー部２０Ｄａ以外の排ガス処理体２０Ｄの側面とコーナー部２０Ｃａ以外のケーシング２０Ｃの側面との間隔に比べて広く、排ガス処理体２０Ｄのコーナー部２０Ｄａの曲率半径ｒｄ２がより大きいので、曲面がなだらかになっており、排ガス処理体２０Ｄのコーナー部２０Ｄａに配設されたマット２０Ｓに亀裂や圧壊が発生しにくい。【００４３】
図２（ｃ）に示す排ガス浄化装置３００では、略五角柱の排ガス処理体３０Ｄがマット３０Ｓを介してケーシング３０Ｃの内部に収容されており、ケーシング３０Ｃの内壁面のコーナー部３０Ｃａの長手方向に対して垂直な断面における曲率半径ｒｃ３よりも、排ガス処理体３０Ｄの側面のコーナー部３０Ｄａの長手方向に垂直な断面における曲率半径ｒｄ３の方が大きい。
従って、この場合にも、コーナー部３０Ｄａ以外の排ガス処理体３０Ｄの側面とコーナー部３０Ｃａ以外のケーシング３０Ｃの側面との間隔に比べて広く、排ガス処理体３０Ｄのコーナー部３０Ｄａの曲率半径ｒｄ３がより大きいので、曲面がなだらかになっており、排ガス処理体３０Ｄのコーナー部３０Ｄａに配設されたマット３０Ｓに亀裂や圧壊が発生しにくい。【００４４】
図３に示すように、ケーシング２０Ｃの両端部の内径は、排ガス処理体２０Ｄが収納されている中央部の内径より次第に小さくなっていく形状であってもよいし、また、内径が一定である形状であってもよい。図２（ｂ）に示すケーシング２０Ｃ以外のケーシングでも同様である。【００４５】
本発明の排ガス処理体は、図１（ａ）〜（ｃ）に示すような形状であり、側面のコーナー部の長手方向に垂直な断面における曲率半径は、長手方向に対して垂直ないかなる断面においても同一であることが望ましい。また、本発明のケーシングは、図２（ａ）〜（ｃ）に示すような形状であり、内壁面のコーナー部の長手方向に対して垂直な断面における曲率半径は、長手方向に対して垂直ないかなる断面においても同一であることが望ましい。【００４６】
本発明の排ガス浄化装置では、上記ケーシング内壁面のコーナー部の長手方向に対して垂直な断面における曲率半径よりも排ガス処理体側面のコーナー部の長手方向に垂直な断面における曲率半径の方が１．０５〜４倍大きいことが望ましく、１．１〜１．５倍大きいことがさらに望ましい。【００４７】
また、上記のように、ケーシング内壁面のコーナー部の長手方向に対して垂直な断面における曲率半径よりも、排ガス処理体側面のコーナー部の長手方向に垂直な断面における曲率半径を大きくすることにより、両者のコーナー部において、ケーシング内壁面と排ガス処理体側面との間隔が、コーナー部以外の部分に比べて広くなるが、両者のコーナー部における間隔の最も広い部分の間隔ｄmaxと、コーナー部以外の部分の間隔の最も狭い部分の間隔ｄminとの差、ｄmax−ｄmin＝２〜８ｍｍが好ましく、その比ｄmax／ｄmin＝１．５〜３．０が好ましい。なお、ケーシングの内壁面と排ガス処理体の側面との間隔は、排ガス処理体側面の長手方向に垂直な断面における重心からケーシングに向けて直線を引いた際、排ガス処理体の側面を横切る点からケーシングの内壁面を横切る点までの直線の長さとする。【００４８】
また、株式会社東京精密の三次元座標測定機  ＲＶＡ８００Ａ−Ｘ１等を使用し、排ガス処理体やケーシングのコーナー部の複数点の位置を測定することにより、曲線を特定することができ、この曲線が円弧である場合には、円弧の曲率半径を求めることができる。
さらに、排ガス処理体やケーシングの曲率半径を所定の値となるように設計している場合には、断面の写真を撮影して、設計時の曲率半径の曲線と一致しているか否かを確認することにより、曲率半径を得ることができる。通常は、排ガス処理体及びケーシングは、所定の曲率半径となるように設計し、作製するので、曲率半径の値を得るのに大きな問題は生じないと考えられる。【００４９】
図４（ａ）は、本発明の実施例に該当する排ガス浄化装置を構成するマットの嵩密度のシミュレーション結果を示す断面図であり、図４（ｂ）は、本発明の比較例に該当する排ガス浄化装置を構成するマットの嵩密度のシミュレーション結果を示す断面図である。
すなわち、図４（ａ）は、図２（ｂ）に示す排ガス浄化装置２００において、ケーシング２０Ｃのコーナー部２０Ｃａの曲率半径ｒｃ２を１６ｍｍとし、排ガス処理体２０Ｄのコーナー部２０Ｄａの曲率半径ｒｄ２を１７ｍｍとし、コーナー部２０Ｃａ、２０Ｄａ以外の部分の排ガス処理体２０Ｄとケーシング２０Ｃとの間隔を３．３ｍｍとし、マット２０Ｓの嵩密度を０．５０ｇ／ｃｍ３とした際のコーナー部付近の嵩密度をシミュレーションした図である。【００５０】
図４（ｂ）は、図２（ｂ）に示す排ガス浄化装置２００において、ケーシング２０Ｃのコーナー部２０Ｃａの曲率半径ｒｃ２を２０ｍｍとし、排ガス処理体２０Ｄのコーナー部２０Ｄａの曲率半径ｒｄ２を１７ｍｍとし、コーナー部２０Ｃａ、２０Ｄａ以外の部分の排ガス処理体２０Ｄとケーシング２０Ｃとの間隔を３．３ｍｍとし、マット２０Ｓの嵩密度を０．５０ｇ／ｃｍ３とした際のコーナー部付近の嵩密度をシミュレーションした図である。【００５１】
図４（ａ）、（ｂ）の比較より明らかなように、ケーシング２０Ｃ内壁面のコーナー部２０Ｃａの曲率半径ｒｃ２よりも、排ガス処理体２０Ｄのコーナー部２０Ｄａの曲率半径ｒｄ２の方が大きい場合、ケーシング２０Ｃ内壁面のコーナー部２０Ｃａの曲率半径ｒｃ２と排ガス処理体２０Ｄのコーナー部２０Ｄａの曲率半径ｒｄ２とが同じ場合と比較して、マットの嵩密度が低くなり、マットに亀裂や圧壊が発生しにくいことがわかる。【００５２】
本発明の排ガス処理体については、前に説明したが、排ガス処理体として排ガス浄化フィルタを使用した場合について、さらに詳しく説明する。
図３に示すように、内燃機関から排出され、排ガス浄化装置２００に流入した排ガス（図３中、排ガスをＧで示し、排ガスの流れを矢印で示す）は、排ガス処理体（ハニカムフィルタ）２０Ｄの排ガス流入側端面２０Ｄｃに開口した一のセル２０Ｄ１に流入し、セル２０Ｄ１を隔てるセル隔壁２０Ｄ２を通過する。この際、排ガス中のＰＭがセル隔壁２０Ｄ２で捕集され、排ガスが浄化されることとなる。浄化された排ガスは、排ガス流出側端面２０Ｄｄに開口した他のセル２０Ｄ１から流出し、外部に排出される。なお、２０Ｄ３は、目封止じ部を示している。【００５３】
図３に示すように、排ガス浄化フィルタ２０Ｄは、主に炭化ケイ素等の多孔質セラミックからなり、柱状であるが、具体的な形状は特に限定されず、例えば、略三角柱状、略四角柱状、略五角柱等が挙げられる。また、排ガス浄化フィルタ２０Ｄの側面（外周）には、排ガス浄化フィルタ２０Ｄの側面を補強したり、形状を整えたり、排ガス浄化フィルタ２０Ｄの断熱性を向上させたりする目的で、外周コート層２０Ｄ４が設けられている。【００５４】
本発明の排ガス浄化装置では、無機繊維からなるマットが排ガス処理体とケーシングとの間に挿入されている。
マットを構成する無機繊維としては、特に限定されず、アルミナ−シリカ繊維であってもよく、アルミナ繊維、シリカ繊維等であってもよい。また、ガラス繊維や生体溶解性繊維であってもよい。耐熱性や耐風蝕性等、マットに要求される特性等に応じて変更すればよく、各国の環境規制に適合できるような太径繊維や繊維長のものを使用するのが好ましい。【００５５】
この中でも、低結晶性アルミナ質の無機繊維が望ましく、ムライト組成の低結晶性アルミナ質の無機繊維がより望ましい。加えて、スピネル型化合物を含む無機繊維がさらに好ましい。高結晶性アルミナ質であると、硬く脆いため、クッション材として用いられるマットには不向きである。【００５６】
さらに低結晶性アルミナ質かつスピネル型化合物を含む無機繊維の場合、結晶化比率は０．１〜３０％の範囲が望ましく、結晶化率０．４〜２０％の範囲がさらに好ましい。この範囲の無機繊維で製作されたマットの反発力および耐久試験後の復元面圧は高く、性能が良い。しかし、結晶化比率が０．１％未満または３０％を超えると、急激に反発力や復元面圧は急激に低下してしまう。結晶化率の測定方法は、ムライト回析線（２θ＝２６．４°）とγアルミナ回析線（２θ＝４５．４°）の積分強度比より算出することができる。【００５７】
マットは、無機繊維からなる素地マットに対してニードルパンチング処理を施して得られるニードルマットであることが望ましい。ニードルパンチング処理とは、ニードル等の繊維交絡手段を素地マットに対して抜き差しすることをいう。【００５８】
図２（ａ）〜（ｃ）に示すマットでは、比較的平均繊維長の長い無機繊維がニードルパンチング処理により３次元的に交絡している。また、マットは、長手方向に垂直な幅方向にニードルパンチング処理されている。【００５９】
なお、交絡構造を呈するために、無機繊維はある程度の平均繊維長を有しており、例えば、無機繊維の平均繊維長は、４ｍｍ〜１２０ｍｍであることが望ましい。この範囲の平均繊維長であると、ニードル処理を施した箇所で繊維同士が絡まり、マットの強度を増加させる。好ましいニードルパンチの存在密度は、１００ｃｍ２あたり１０〜５００個である。ニードルパンチの存在密度が１００ｃｍ２あたり１０個未満であると、シール材が引き裂かれて分離してしまいう。また、ニードルパンチの存在密度が１００ｃｍ２あたり５００個を超えるとシール材を曲げにくくなり、排気ガス処理体への巻回時に平面状にシール材がなろうとし、紐状部材を付与した際に、紐状部材に大きな張力がかかってしまい、紐状部材が破断したりするので好ましくはない。【００６０】
また、マットの面比重は、４００ｇ／ｍ２〜２０００ｇ／ｍ２であることが望ましい。マットの面比重が４００ｇ／ｍ２未満であると排ガス浄化装置作動時の振動から排ガス処理体を充分に保護することができないため、排ガス処理体の欠損や、ケーシングから脱落するといった不具合が生じる。また、２０００ｇ／ｍ２を超えると、マットの復元力が強すぎるため、排ガス処理体の強度を上回って破損させてしまう。【００６１】
マットは、単層構造であってもよく、多層構造であってもよい。マット１１が多層構造からなる場合には、引掛け部は、複数のマットの同じ位置に形成されていることが望ましい。そうすることで、紐状部材が複数あるマット同士を、はがれないようにさせることができる。通常の多層マットでは、ステッチや接着剤を使用するなどするので、有機分の増加が懸念されるほか、工数が複雑となるので不良の増加や作業効率の低下を招く。
マットが単層構造のマットからなる場合は、マットの厚みＴが５〜１５ｍｍであることが望ましい。【００６２】
本発明の排ガス浄化装置を構成するマットを作製するには、まず、所定の大きさのマット材を準備する。マット材の材料等については、上述したので、ここでは、その説明を省略する。【００６３】
上述した構成のマット材には、必要に応じてバインダを付着させる。マット材にバインダを付着させることで、無機繊維同士の交絡構造をより強固なものとすることができるとともに、マット材の嵩高さを抑えることができる。バインダの添着量としては、マット材の重量を基準として、０．０１〜１０．０％が望ましい。０．０５〜３．０％がさらに望ましく、０．１〜１．５％の範囲がもっとも望ましい。【００６４】
バインダとしては、アクリル系ラテックスやゴム系ラテックス等を水に分散させて調製したエマルジョンを用いることができる。このバインダをスプレー等を用いてマット材全体に均一に吹きかけて、バインダをマット材に付着させる。また、上記バインダは有機成分であるが、アルミナ粒子などを含んでいる無機バインダも上記有機バインダと一緒に使用しても良く、上記有機バインダを使用せずに無機バインダのみの使用でも良い。【００６５】
その後、バインダ中の水分を除去するために、マット材を乾燥させる。乾燥条件としては、例えば、９５〜１５０℃で１〜３０分間乾燥させればよい。乾燥工程を経ることでマット材を作製することができる。乾燥は通気乾燥機を使用することが望ましい。通気乾燥機を使用することでマット材の乾燥速度が増加し、さらにマット材の厚さ方向にバインダの添着量が一様にならずに樹脂のマイグレーションにより分布ができる。例えば、通気乾燥機の通気速度や温度など様々な条件設定により、マット材の厚み方向中央部に樹脂量を多く、または少なくするなどの分布調節をすることも可能である。
また、圧縮や減圧環境下の乾燥でも可能であり、乾燥時間を削減することができる。【００６６】
次に、打ち抜き工程を行い、例えば、図５に示すような形状のマットを作製する。
すなわち、図５は、本発明の排ガス浄化装置で使用されるマットを模式的に示す斜視図であるが、マット２０Ｓは、所定の長さ（図５中、矢印Ｌで示す）、幅（図５中、矢印Ｗで示す）及び厚さ（図５中、矢印Ｔで示す）を有する平面視略矩形の平板状の形状を有する。【００６７】
図５に示すマット２０Ｓでは、マット２０Ｓの長さ方向側の端部のうち、一方の端部には凸部２０Ｓ２が形成されており、他方の端部には凹部２０Ｓ３が形成されている。マット２０Ｓの凸部２０Ｓ２及び凹部２０Ｓ３は、排ガス浄化装置を組み立てるために排ガス処理体２０Ｄにマット２０Ｓを巻き付けた際に、ちょうど互いに嵌合するような形状となっている。【００６８】
本発明の排ガス浄化装置を作製する際には、図５に示す形状のマットを作製した後、マットの凸形状と凹形状の嵌合部が嵌合された状態となるように上記マットを排ガス処理体の周囲に巻き付ける巻き付け、図６に示す巻付体２５０を作製する。【００６９】
この工程の後、収容工程を行う。
図６は、本発明の排ガス浄化装置を構成する巻付体をケーシングに収納する様子を示した斜視図である。
図６に示したように、マット２０Ｓを巻き付けた排ガス処理体（巻付体２５０）を所定の大きさを有する円筒状であって、主に金属等からなるケーシング２０Ｃに圧入する。【００７０】
圧入後にシール材が圧縮して所定の反発力（すなわち、ハニカムフィルタを保持する力）を発揮するために、ケーシング２０Ｃの内径は、マット２０Ｓを巻き付けた排ガス処理体２０Ｄのマット２０Ｓの厚さを含めた最外径より少し小さくなっている。【００７１】
マットを巻きつけた排ガス処理体をケーシング内に収容させる方法は、圧入方式（スタッフィング方式）に限定されるものではなく、サイジング方式（スウェージング方式）、及び、クラムシェル方式等も挙げられる。
サイジング方式（スウェージング方式）では、マットを巻きつけた排ガス処理体をケーシングの内部に挿入した後、ケーシングの内径を縮めるように外周側から圧縮する。クラムシェル方式では、ケーシングを、第１のケーシング及び第２のケーシングの２つの部品に分離可能な形状としておき、マットを巻きつけた排ガス処理体を第１のケーシング上に載置した後に第２のケーシングを被せて密封する。
マットを巻きつけた排ガス処理体をケーシングに収容する方法の中では、圧入方式（スタッフィング方式）又はサイジング方式（スウェージング方式）が望ましい。圧入方式（スタッフィング方式）又はサイジング方式（スウェージング方式）では、ケーシングとして２つの部品を用いる必要がないため、製造工程の数を少なくすることができるからである。【００７２】
以下に、本発明の排ガス浄化装置の作用効果について列挙する。
（１）本発明の排ガス浄化装置では、ケーシング内壁面のコーナー部の長手方向に対して垂直な断面における曲率半径よりも、排ガス処理体側面のコーナー部の長手方向に垂直な断面における曲率半径の方が大きく、排ガス処理体側面のコーナー部がなだらかになっているので、排ガス処理体の側面にマットが配設された排ガス浄化装置を使用した際、自動車の走行等により排ガス浄化装置に振動等が発生しても、排ガス処理体のコーナー部にマットが集まりにくい。また、ケーシング内壁面のコーナー部の曲率半径と排ガス処理体側面のコーナー部の曲率半径との違いに起因して、上記排ガス処理体のコーナー部では、上記ケーシングの内壁面との間隔が上記コーナー部以外の部分に比べて広くなっており、上記コーナー部のマットの嵩密度が高くなりにくい。このため、マットに亀裂や圧壊が発生しにくい。【００７３】
（２）本発明の排ガス浄化装置では、マットが巻き付けられた排ガス処理体をケーシングに圧入する際にも、コーナー部にかかる負荷が大きくなりにくく、マットに亀裂や圧壊が発生しにくい。
このため、本発明の排ガス浄化装置では、自動車の走行等により生じる振動や衝撃により、排ガス処理体がその外周を覆うケーシングと接触して破損することを防止することができることは勿論、マットによる排ガス処理体の保持能力が高く、排ガス処理体の内部から排ガス処理体が抜け出るのを防止することができる。また、排ガスの漏れをしっかりと防止することができる。【００７４】
（３）本発明の排ガス浄化装置で、該排ガス浄化装置を構成する排ガス処理体およびケーシングが４個のコーナー部を有していると、排ガス処理体のコーナー部の曲率半径が小さくなり易く、従来の排ガス浄化装置では、コーナー部に配設したマットに亀裂や圧壊等が発生し易かった。しかし、本発明の排ガス浄化装置では、ケーシング内壁面のコーナー部の長手方向に対して垂直な断面における曲率半径よりも、排ガス処理体側面のコーナー部の長手方向に垂直な断面における曲率半径の方が大きいので、マットが配設された排ガス浄化装置を使用した際、排ガス処理体のコーナー部にマットが集まりにくく、容積も大きいため、マットの嵩密度が高くなりにくい。このため、マットに亀裂や圧壊が発生しにくい。【００７５】
（４）本発明の排ガス浄化装置で、上記排ガス処理体側面のコーナー部の長手方向に垂直な断面における曲率半径は、長手方向に対して垂直ないかなる断面においても同一であり、かつケーシング内壁面のコーナー部の長手方向に対して垂直な断面における曲率半径は、長手方向に対して垂直ないかなる断面においても同一であると、排ガス浄化装置のどの部分においても、同じ効果を得ることができ、排ガス処理体のコーナー部に配設されたマットには、全ての部分において、亀裂や圧壊が発生しにくい。【００７６】
（５）本発明の排ガス浄化装置で、上記ケーシング内壁面のコーナー部の長手方向に対して垂直な断面における曲率半径よりも排ガス処理体側面のコーナー部の長手方向に垂直な断面における曲率半径の方が１．０５〜４倍大きいと、排ガス処理体のコーナー部にマットがより集まりにくく、マットの嵩密度がより高くなりにくい。このため、マットに亀裂や圧壊がより発生しにくい。【００７７】
（６）本発明の排ガス浄化装置で、上記マットを構成する無機繊維は、アルミナ繊維、アルミナ−シリカ繊維、シリカ繊維、及び、生体溶解性繊維からなる群から選択される少なくとも一種の無機繊維であると、上記無機繊維が使用されたマットは、保持力に優れ、無機繊維の機械的特性にも優れているので、マットに亀裂や圧壊が発生しにくく、排ガス処理体がしっかりと保持される。【００７８】
（７）本発明の排ガス浄化装置で、上記マットに、さらに、ニードルパンチング処理が施されていると、無機繊維同士の交絡が発生し、無機繊維が移動しにくくなるので、排ガス処理体側面のコーナー部にマットが集まりにくくなり、マットに亀裂や圧壊が発生しにくくなる。
【実施例】
【００７９】
以下に、本発明の実施形態をより具体的に開示した実施例を示すが、本発明の実施形態はこれらの実施例のみに限定されるものではない。【００８０】
（実施例１）
アルミナ−シリカ組成を有するアルミナ繊維製の素地マットとして、組成比がＡｌ２Ｏ３：ＳｉＯ２＝７２：２８である素地マットを用意した。この素地マットに対し、ニードルパンチング処理を施すことで、嵩密度が０．２０ｇ／ｃｍ３、目付量が１５９１ｇ／ｍ２のニードルマットを作製した。【００８１】
別途、アクリル系ラテックスを水に充分に分散させることで、アクリル系ラテックスエマルジョンを調製しておき、これをバインダとして用いた。【００８２】
次に、ニードルマットを平面視寸法で全長１１００ｍｍ×幅１２８０ｍｍに裁断した。裁断したニードルマットのアルミナ繊維量に対し１．０重量％となるように、裁断したニードルマットに対してバインダを含浸させた。【００８３】
その後、バインダを付着させたニードルマットを１４０℃の温度で６分間通気乾燥させることにより、マット材を作製した。【００８４】
続いて、マット材から図５に示すような形状のマットの打ち抜きを行った。
マット材の打ち抜きは、トムソン刃及び油圧プレス機を用いて行った。
打ち抜いたマットの寸法は、長手方向の長さＬ＝５４５ｍｍ、幅Ｗ＝１１０ｍｍ、厚さＴ＝９．１ｍｍ、凹形状及び凸形状の嵌合部の長手方向の長さがＤ＝５０ｍｍである。【００８５】
図７（ａ）は、排ガス浄化フィルタの長手方向に対して垂直な断面の形状を特定するための基準となる寸法（縦、横、対角１、対角２、コーナー部の曲率半径）を模式的に示した断面図であり、図７（ｂ）は、ケーシングの長手方向に対して垂直な内壁面の形状を特定するための基準となる寸法（縦、横、対角１、対角２、コーナー部の曲率半径）を模式的に示した断面図である。
本実施例で使用したＳｉＣ製の排ガス浄化フィルタは、図７に示す基準で表わすと、縦：１４３．８ｍｍ、横：１４３．８ｍｍ、対角１：１７９．６ｍｍ，対角２：１７９．６ｍｍ、コーナー部の曲率半径：２０ｍｍである。
上記形状の排ガス浄化フィルタに上述の特性を有するマットを巻き付けた。【００８６】
最後に、巻付体を、圧入方式を用いてケーシング内に収容した。ケーシングの形状は、縦：１５１．８ｍｍ、横：１５１．８ｍｍ、対角１：１９１ｍｍ，対角２：１９１ｍｍ、コーナー部ｒｃの曲率半径：１９ｍｍ、長手方向の長さ１５０ｍｍである。
圧入の後、２４時間後にマットをケーシングから取り出し、マットの状態を観察し、写真撮影した。図８（ａ）〜（ｅ）は、実施例１で用いたマットの状態を撮影した写真である。【００８７】
（比較例１）
ケーシングの形状が異なるほかは、実施例１と同様に、マットを作製し、実施例１と同じ排ガス浄化フィルタの側面にマットを巻き付けて巻付体を作製し、該巻付体をケーシングに圧入した。ケーシングの形状は、縦：１５１．８ｍｍ、横：１５１．８ｍｍ、対角１：１８７．７ｍｍ，対角２：１８７．７ｍｍ、コーナー部の曲率半径ｒｃ：２４ｍｍ、長手方向の長さ１５０ｍｍである。
圧入の後、２４時間後にマットをケーシングから取り出し、マットの状態を観察し、写真撮影した。
そして、実施例１と同様に、圧入の後、２４時間後にマットをケーシングから取り出し、マットの状態を観察し、写真撮影した。図９（ａ）〜（ｅ）は、比較例１で用いたマットの状態を撮影した写真である。【００８８】
図８（ａ）〜（ｅ）と図９（ａ）〜（ｅ）との比較より明らかなように、実施例１で用いられたマットは、少し皺の跡は見られるものの、亀裂や圧壊の様子は見られず、マットに問題は発生していないことがわかった。一方、比較例１で用いられたマットは、亀裂や圧壊が見られ、マットに保持力の低下や排ガスの漏れが発生するおそれがあることがわかった。
【符号の説明】
【００８９】
１０Ｄ、２０Ｄ、３０Ｄ  排ガス処理体
１０Ｄａ、２０Ｄａ、３０Ｄａ  コーナー部
１０Ｓ、２０Ｓ、３０Ｓ  マット
１０Ｃ、２０Ｃ、３０Ｃ  ケーシング
１０Ｃａ、２０Ｃａ、３０Ｃａ  コーナー部
２０Ｄ１  セル
２０Ｄ２  セル隔壁
２０Ｄ３  目封じ部
２０Ｄｃ  排ガス流入側端面
２０Ｄｄ  排ガス流出側端面
２０Ｓ２  凸部
２０Ｓ３  凹部
１００、２００、３００  排ガス浄化装置
２５０  巻付体
【図１】
2015016097.tif 000003
【図２】
2015016097.tif 000004
【図３】
2015016097.tif 000005
【図４】
2015016097.tif 000006
【図５】
2015016097.tif 000007
【図６】
2015016097.tif 000008
【図７】
2015016097.tif 000009
【図８】
2015016097.tif 000010
【図９】
2015016097.tif 000011
【国際調査報告】
2015016097.tif 000012
2015016097.tif 000013
2015016097.tif 000014
2015016097.tif 000015